(57)【要約】【目的】  巻尺用テープにおいて、塩ビ樹脂などの被覆材をベース材（巻尺用テープの本体）に直接塗布できるようにする。【解決手段】  ベース材たるフィルム３に、該フィルム３の表裏に貫通する多数の孔２を設けて、フィルム３の周囲に塗布した被覆材たる塩ビ樹脂４が、この塩ビ樹脂４が固化したとき、フィルム３の多数の孔２を介して表裏一体になるようにする。【選択図】  図２
2015025673.tif 000002
【特許請求の範囲】
【請求項１】
ベース材の少なくとも表裏両面を被覆材で被覆した巻尺用テープであって、該被覆材が、ベース材に有する多数の孔を介して表裏一体になっていることを特徴とする巻尺用テープ。
【請求項２】
上記ベースが、繊維織物からなることを特徴とする請求項１に記載の巻尺用テープ。
【請求項３】
上記ベースが、合成樹脂素材からなることを特徴とする請求項１に記載の巻尺用テープ。
【請求項４】
上記ベースが、合成樹脂素材からなるフィルム部材であることを特徴とする請求項１に記載の巻尺用テープ。
【請求項５】
上記ベースが、金属素材からなることを特徴とする請求項１に記載の巻尺用テープ。
【請求項６】
上記被覆材が、軟性樹脂を主成分としたものであることを特徴とする請求項１に記載の巻尺用テープ。
【請求項７】
上記被覆材が、塩ビ樹脂を主成分としたものであることを特徴とする請求項１に記載の巻尺用テープ。
【請求項８】
上記ベース材が、巻尺用テープ幅方向に弧状になっていることを特徴とする請求項１に記載の巻尺用テープ。
【請求項９】
上記ベース材の長手方向の辺部に多数の切欠き部を設けたことを特徴とする請求項１に記載の巻尺用テープ。
【請求項１０】
上記被覆材を透視可能なものとして、ベース材に測定用の目盛を印刷していることを特徴とする請求項１に記載の巻尺用テープ。
【請求項１１】
上記被覆材に抗菌作用を有する材料を添加していることを特徴とする請求項１に記載の巻尺用テープ。
【請求項１２】
上記被覆材に測定用の目盛を印刷していることを特徴とする請求項１に記載の巻尺用テープ。
【請求項１３】
上記目盛を表示するための塗料に、抗菌作用を有する材料を添加していることを特徴とする請求項１２に記載の巻尺用テープ。
【発明の詳細な説明】
【技術分野】
【０００１】
本発明は、巻尺用テープに関する。
【背景技術】
【０００２】
従来、巻尺用テープの本体となる薄板のベース材にガラス繊維（グラスファイバ）織物を用いて製造される巻尺用テープは、ガラス繊維のほつれ防止や補強を目的としてテープの表面に柔軟性に優れる塩ビ（塩化ビニル）樹脂を被覆しているが、塩ビ樹脂の密着性を強固にするため、ガラス繊維で形成した芯材に密着向上剤たる塩ビゾルを塗布してこの後に塩ビ樹脂を塗布している。すなわち、塩ビゾルが塩ビ樹脂とガラス繊維との接着剤として機能し、塩ビ樹脂をガラス繊維で形成したベース材に十分に密着させることができる。
【０００３】
しかしながら、ガラス繊維のベース材に塩ビ樹脂を十分に密着させるには塩ビゾルの塗布が必須であるため、塩ビゾル剤のコストと塩ビゾル塗布工程のコストが市販価格に反映されて市販価格が割高になっていて、市場競争力が弱いものであった。
【先行技術文献】
【特許文献】
【０００４】
【特許文献１】特開２００４−２２６１２５号公報
【発明の概要】
【発明が解決しようとする課題】
【０００５】
本発明の目的とするところは、塩ビ樹脂などの被覆材をベース材（巻尺用テープの本体）に直接塗布できるようにして製造コストを低減させ、市場競争力の高なる巻尺用テープを提供できるようにすることにある。
【課題を解決するための手段】
【０００６】
上述した課題を解決するために、本発明に係る巻尺用テープは、ベース材の少なくとも表裏両面を被覆材で被覆した巻尺用テープであって、該被覆材が、ベース材に有する多数の孔を介して表裏一体になっていることを特徴とするものである。
【０００７】
また、上記ベースが、繊維織物からなることを特徴とするものである。
【０００８】
また、上記ベースが、合成樹脂素材からなることを特徴とするものである。
【０００９】
また、上記ベースが、合成樹脂素材からなるフィルム部材であることを特徴とするものである。
【００１０】
また、上記ベースが、金属素材からなることを特徴とするものである。
【００１１】
また、上記被覆材が、軟性樹脂を主成分としたものであることを特徴とするものである。
【００１２】
また、上記被覆材が、塩ビ樹脂を主成分としたものであることを特徴とするものである。
【００１３】
また、上記ベース材が、巻尺用テープ幅方向に弧状になっていることを特徴とするものである。
【００１４】
また、上記ベース材の長手方向の辺部に多数の切欠き部を設けたことを特徴とするものである。
【００１５】
また、上記被覆材を透視可能なものとして、ベース材に測定用の目盛を印刷していることを特徴とするものである。
【００１６】
また、上記被覆材に抗菌作用を有する材料を添加していることを特徴とするものである。
【００１７】
また、上記被覆材に測定用の目盛を印刷していることを特徴とするものである。
【００１８】
また、上記被覆材に印刷する目盛の塗料に、抗菌作用を有する材料を添加していることを特徴とするものである。
【発明の効果】
【００１９】
本発明の巻尺用テープによれば、巻尺用テープの本体となるベース材に被覆材を直接塗布できるので、製造コストの少なくとも塩ビゾル剤のコストと塩ビゾル塗布工程のコストを低減でき、市場競争力の高なる巻尺用テープを提供できる。
【００２０】
そして、ベース材に合成樹脂素材からなるフィルムを用いた場合、ガラス繊維などの繊維織物のベース材よりも厚みを薄くできるメリットもあって、これにより、しっかりとしたテープであるにもかかわらず柔軟性にも優れ、さらに、ケースも小型にできるなど大なる効果がある。
【００２１】
また、巻尺用テープの本体となるベース材の幅や厚みなどを選定すれば十分に従来の鋼製テープの巻尺にも適応させることもでき、これにより、テープを軽量にできると共に回転ドラムに内装するテープ巻き取り用のぜんまいばねも低トルクのものにできるので、巻尺自体の重さが決定されるほど大に巻尺の重さに影響するテープとぜんまいばねの２つの部材の軽量化ができ、今までにない非常に軽い巻尺を提供することができる。
【００２２】
また、鋼製テープの巻尺は、使用される場所によっては感電の危険があるためテープの伸長や伸長したテープの取り回しに気を使っているが、鋼製テープの仕様に適用できるように非導電のベース材を用いて本発明の巻尺用テープを構成すれば、腰がなく折れ曲がりやすい従来の非導電テープに比して折れ曲がり難くできるので、感電の危険をゼロに等しいまで低減できると共に、測定作業を容易に且つ安全に行うことができる。
【図面の簡単な説明】
【００２３】
【図１】本発明に係る巻尺用テープを示す斜視図。
【図２】図１に示した本巻尺用テープの拡大端面図。
【図３】テープ幅方向に弧状にしたベース材を示した斜視図。
【図４】目盛を印刷したベース材を示した斜視図。
【図５】長手方向の両辺に切欠き部を設けたベース材を示した斜視図。
【図６】本巻尺用テープの製造方法の一例を示した製造工程図。
【発明を実施するための形態】
【００２４】
以下、本発明に係る巻尺用テープの製造方法を、添付図面に示す具体例に基づいて説明する。また、本実施例では、巻尺用テープの本体となる薄板状のベース材を合成樹脂素材からなるフィルムで形成し、被覆材を、塩ビ樹脂を主成分としたものを用いた巻尺用テープを具体例としている。なお、図中のベース材や被覆材またベース材に設けた孔や切欠きなどは、図を見やすくするため実際よりも増厚や広径に作図している。
【００２５】
巻尺用テープ１は、図１に示すように、多数の孔２を設けた巻尺用テープの本体となるフィルム３の周囲を、被覆材たる塩ビ樹脂４で被覆していて、表裏の塩ビ樹脂４が孔２を介して接続されているもので、そして、表面および裏面（裏面の図示は省略）の塩ビ樹脂４面上に測定用の目盛５を印刷しているものである。また、テープの仕様によっては、片面（例えば表面）だけに目盛５を印刷する場合もある。
【００２６】
図２は、図１に示した巻尺用テープ１断面の拡大端面図であり、流動性の塩ビ樹脂４をフィルム３に塗布したとき、塩ビ樹脂４がフィルム３の孔２内に流入し充填される。そして、フィルム３に塗布した塩ビ樹脂４が固化すると、孔２を介してフィルム３の表裏の塩ビ樹脂４が一体になり、硬化後の被覆材たる塩ビ樹脂４のズレや剥離を抑止できる。
【００２７】
図３は、巻尺用テープの本体となるフィルム３をテープ幅方向に弧状にしたものを示していて、本形状にすることで、収容ケースから水平方向に引き出したテープを水平方向に相当な長さ直伸長させることができる。
【００２８】
図４は、フィルム３の被覆材たる塩ビ樹脂４に測定用の目盛５を表示した図１に示した巻尺用テープ１に対し、巻尺用テープの本体となるフィルム３の表面および裏面（裏面の図示は省略）に測定用の目盛５を表示しているものである。なお、この場合は、フィルム３の被覆材たる塩ビ樹脂４を、透明や半透明の透視可能なものにする。
【００２９】
本図では、孔２の上にかかっている目盛５の一部が欠損しているが、上記断り書きの理由から孔２の開口径を実際よりも広径に作図したことからであって、実際の孔２はこれよりも小なる開口径であり、目盛５の読み取りは十分にできるものである。なお、孔２の配置位置を適宜選定すれば、目盛５を欠損させることなく表示できる。
【００３０】
図５は、フィルム３の長手方向の辺部に切欠き部２ａを設けたもので、フィルム３の辺部における被覆材たる塩ビ樹脂４の定着性をより高にするようにしたものである。なお、切欠き部２ａは両辺部に設けるのが望ましい。そして、切欠き部２ａは、孔２の長手方向の配置間隔と同じに設けたり（図５中の（ａ））、また、連続して設けてもよく（図５中の（ｂ））、被覆材の性質などを考慮して設ければよい。
【００３１】
図６は、本巻尺用テープ１の製造方法の一例を示した製造工程図であり、製造工程は、所定のテープ幅に形成した巻尺用テープの本体となるフィルム３に（図６中の（ａ））、フィルム３の表裏両面に貫通する孔２を形成し（図６中の（ｂ））、フィルム３の周囲に被覆材たる流動性の塩ビ樹脂４を塗布すると共に塩ビ樹脂４をフィルム３の孔２内にも充填して塩ビ樹脂４を乾燥（固化）させ（図６中の（ｃ））、塩ビ樹脂４の乾燥後に測定用の目盛を表示する（図６中の（ｄ））。
【００３２】
また、測定用の目盛の一例は、線や記号や数字など適当なものが表示され、表示方法についても特に限定するものではなく、回転する版ドラムの周面に刻印した目盛や数字などの刻印体にインキを付着させ、この版ドラム（刻印体）にベース材の一面を接触させて刻印体すなわち目盛や数字などの形状をテープ材面に写す（印刷）ようにしたり、インクを被印刷体に向けて噴射（インクの粒子を噴射／インクの泡を噴射）して印字や印画をするインクジェットプリンタなどを用いてもよい。
【００３３】
また、ベース材の形成素材の繊維織物としては、ガラス繊維やアラミド繊維など容易に伸びることがない繊維で織り上げられたものがよい。
【００３４】
また、ベース材の形成素材の合成樹脂素材としては、薄板状に形成したときに容易に伸びることがなく、少なくとも回転ドラムに巻回することが可能な柔軟性を有するものがよい。なお、合成樹脂素材は、高分子化合物からなる物質である。
【００３５】
また、ベース材の形成素材の金属素材としては、鋼材をはじめとして鉄などの金属やアルミなどの非鉄金属などで、巻尺の使用形態などを考慮して選定すればよい。
【００３６】
また、上記被覆材に用いる軟性樹脂としては、例えば、ポリエチレン、ポリプロピレン、ポリオレフィン、ポリスチレン、塩化ビニル（軟質塩ビ）、軟質アクリル樹脂などである。
【００３７】
また、被覆材や被覆材に表示する測定用の目盛の塗料に抗菌作用を有する材料を添加してもよい。
【００３８】
また、ベース材に形成する孔は、ベース材を巻尺用テープ幅に切断した後の形成でも切断の前の形成でもよく、構築する製造ラインの設置場所などを考慮して選定すればよい。
【００３９】
また、孔の形成手段も特に限定せず、ドリルやプレスなど機械的に孔を開ける穿孔手段や、レーザなど非接触で孔を開ける穿孔手段を用いればよい。さらに、孔の開口形状も特に限定せず、使用する被覆材の性質などを考慮して円形や角形またこれらを組み合わせた形状にすればく、また、孔の開口径も、穿孔する孔全部を同じ開口径にしたり、広い開口径の孔と狭い開口径の孔を適当に配置してもよい。そして、穿孔する位置も、シーケンシャルであってもまたランダムであってもよい。さらには、穿孔方向においても、使用する被覆材の性質などによって正下方に貫通や斜下方に貫通またこれらの方向を組み合わせた方向に穿孔すればよい。
【符号の説明】
【００４０】
１…巻尺用テープ
２…孔
２ａ…切欠き部
３…フィルム
４…塩ビ樹脂
５…目盛
【図１】
2015025673.tif 000003
【図２】
2015025673.tif 000004
【図３】
2015025673.tif 000005
【図４】
2015025673.tif 000006
【図５】
2015025673.tif 000007
【図６】
2015025673.tif 000008